(57)【要約】【課題】  折り重ねて収納できる構成において取り扱いが容易で低コスト化を図ることができる。【解決手段】  部品収納用凹部１３を有する複数の収納容器１１が接続手段により連結されたキャリアテープであって、接続手段に弾性を有する帯状体で構成した折り曲げ可能な連結部品１８を用い、連結部品１８を介して隣り合う収納容器１１どうしが近接するように折り返し可能とした。連結部品１８が折り曲げ可能な帯状体とすることで容易に製作することができる。これにより、低コストな接続手段でキャリアテープのつづら折り収納を実現できる。【選択図】  図１
2005096838.tif 000002
【特許請求の範囲】
【請求項１】
部品収納用凹部を有する複数の収納容器が接続手段により連結されたキャリアテープであって、前記接続手段に弾性を有する帯状体で構成した折り曲げ可能な連結部品を用い、前記連結部品を介して隣り合う前記収納容器どうしが近接するように折り返し可能としたことを特徴とするキャリアテープ。
【請求項２】
部品収納用凹部を有する複数の収納容器が接続手段により連結されたキャリアテープであって、所定の間隔で前記接続手段に弾性を有する帯状体で構成した折り曲げ可能な連結部品を用いることで、前記連結部品を介した箇所のみ折り返し可能としたことを特徴とするキャリアテープ。
【発明の詳細な説明】
【技術分野】
【０００１】
この発明は、半導体素子や各種の異形部品（例えばコネクタ、スイッチ、発振器）など種々の電子部品等の多数を個別に保持して搬送、供給および検査するに適したキャリアテープに関するものである。
【背景技術】
【０００２】
部品の搬送、供給において、部品が収納された容器をテープ状に連結した包装形態のままで自動供給機に装着し、部品を１個ずつ自動供給するテーピング方式の部品供給方法は、電子部品の実装で高い信頼性が実証され、近年急速に普及し、部品供給方法の主流となっている。そこで特許文献１に開示されるような再利用可能なキャリアテープが提案されている。しかしながら、円形のリールではデッドスペースが発生することや最後尾のキャリアが露出していないために次ロットのキャリアテープの先端を連結できないという課題があり、特許文献２に開示されているようなつづら折り式の収納方式が提案されている。
【０００３】
従来のキャリアテープを図８〜図１１に基づいて説明する。図８（ａ）は従来のキャリアテープの平面図、（ｂ）は正面図、（ｃ）は側面図、図９は従来のキャリアテープの斜視図、図１０（ａ）はその連結部品の平面図、（ｂ）は正面図、（ｃ）は側面図、図１１は連結部品の斜視図である。
【０００４】
図８及び図９において、２１は収納容器で、部品２４を収納する収納用凹部２３を有する。収納容器２１は接続手段により複数連結されている。また、部品２４の収納容器２１からの飛び出し防止手段として、開閉可能なシャッタ２９を有する。２２は収納容器２１の側縁に沿って配列されたスプロケットホイール送り用の小孔である。また、収納容器２１の両側に、横向きの穴２６からなる接合部２５を設け、この接合部２５に接続手段を接続可能とした。また、接続手段は両側に横向きのピンを設けた連結部品２７で、この連結部品２７のピン３０を収納容器２１の穴２６に係合することで、収納容器２１が連結される。
【特許文献１】特開平６−１５６５６２号公報
【特許文献２】特開２０００−４３９３４号公報
【発明の開示】
【発明が解決しようとする課題】
【０００５】
従来のキャリアテープでは収納容器を接続する手段である連結部品がキャリアテープの接続部と同数個必要となりコスト高になる。また、隣接する収納容器がそれぞれ回動自在であるため、取扱い難いという課題があった。
【０００６】
したがって、この発明の目的は、折り重ねて収納できる構成において取り扱いが容易で低コスト化を図ることができるキャリアテープを提供することである。
【課題を解決するための手段】
【０００７】
上記課題を解決するために、この発明の請求項１記載のキャリアテープは、部品収納用凹部を有する複数の収納容器が接続手段により連結されたキャリアテープであって、前記接続手段に弾性を有する帯状体で構成した折り曲げ可能な連結部品を用い、前記連結部品を介して隣り合う前記収納容器どうしが近接するように折り返し可能とした。
【０００８】
請求項２記載のキャリアテープは、部品収納用凹部を有する複数の収納容器が接続手段により連結されたキャリアテープであって、所定の間隔で前記接続手段に弾性を有する帯状体で構成した折り曲げ可能な連結部品を用いることで、前記連結部品を介した箇所のみ折り返し可能とした。
【発明の効果】
【０００９】
この発明の請求項１記載のキャリアテープによれば、接続手段に弾性を有する帯状体で構成した折り曲げ可能な連結部品を用い、連結部品を介して隣り合う収納容器どうしが近接するように折り返し可能としたので、連結部品が折り曲げ可能な帯状体とすることで容易に製作することができる。これにより、低コストな接続手段でキャリアテープのつづら折り収納を実現できる。
【００１０】
この発明の請求項２記載のキャリアテープによれば、所定の間隔で接続手段に弾性を有する帯状体で構成した折り曲げ可能な連結部品を用いることで、連結部品を介した箇所のみ折り返し可能としたので、連結部品が折り曲げ可能な帯状体とすることで容易に製作することができる。これにより、低コストな接続手段でキャリアテープのつづら折り収納を実現できる。
【００１１】
また、連結部品は全ての収納容器の連結に使用するのではなく、折り曲げたい箇所にのみ連結部品を介して接続することで、連結部品の数量を減らすことができ、また必要な箇所のみ折り曲がることで取り扱いが容易になる。
【発明を実施するための最良の形態】
【００１２】
この発明の第１の実施の形態のキャリアテープを図１〜図５に基づいて説明する。図１（ａ）はこの発明の第１の実施の形態のキャリアテープの平面図、（ｂ）は側面図、図２はこの発明の第１の実施の形態のキャリアテープの斜視図、図３（ａ）は連結部品の平面図、（ｂ）は側面図、図４は連結部品の斜視図、図５は連結部品を折り曲げた状態を示した図である。
【００１３】
図１及び図２において、１１は収納容器で、部品１４を収納する収納用凹部１３を有する。１２は収納容器１１の側縁に沿って配列されたスプロケットホイール送り用の小孔である。但し、送り方法がスプロケット送り以外の場合には必ずしも必要ではない。収納容器１１の両側には、一方が穴１６、他方がピン１７からなる接合部１５が設けてある。複数の収納容器１１が接合部１５により連結されている。また、接合部１５で構成される接続手段に弾性を有する帯状体で構成した折り曲げ可能な連結部品１８を用い、連結部品１８を介して隣り合う収納容器１１どうしが近接するように折り返し可能とした。
【００１４】
この場合、図３及び図４に示すように、連結部品１８にも接合部１５と同様に一方が穴１９、他方がピン２０を設けており、前記収納容器１１の両側の接合部１５の穴１６またはピン１７と係合することで収納容器１１を複数個接続可能としている。連結部品１８の素材は弾性を有する帯状体で形成されているために図５に示すとおり１８０°折り曲げることが可能である。
【００１５】
この発明の第２の実施の形態のキャリアテープを図６および図７に基づいて説明する。図６（ａ）はこの発明の第２の実施の形態のキャリアテープの平面図、（ｂ）は側面図、図７はこの発明の第２の実施の形態のキャリアテープの斜視図である。
【００１６】
図６及び図７において、１１は収納容器で、部品１４を収納する収納用凹部１３を有する。１２はスプロケットホイール送り用の小孔であり、送り方法がスプロケット送り以外の場合には必ずしも必要ではない。収納容器１１の両側には、一方が穴１６、他方がピン１７からなる接合部１５が設けてある。接合部１５の穴１６とピン１７が係合することで収納容器１１を複数個接続可能としている。また、所定の間隔で接合部１５で構成される接続手段に弾性を有する帯状体で構成した折り曲げ可能な連結部品１８を用いることで、連結部品１８を介した箇所のみ折り返し可能とした。
【００１７】
この場合、連結部品１８にも接合部５と同様に一方が穴１９、他方にピン２０を設けてあり、収納容器１１の接合部１５と連結可能な構成になっている。前述のとおり収納容器１１は接合部１５で複数個連結しているが、図６のように一定の間隔で連結部品１８を接続介入させることで、連結部品１８の弾性を利用してキャリアテープを一定の長さ、所望の箇所で折り重ねることができる。
【産業上の利用可能性】
【００１８】
本発明にかかるキャリアテープは、低コストな接続手段でキャリアテープのつづら折り収納を実現できる等の効果を有し、半導体素子や各種の異形部品（例えばコネクタ、スイッチ、発振器）など種々の電子部品等の多数を個別に保持して搬送、供給する搬送供給手段として有用である。
【図面の簡単な説明】
【００１９】
【図１】（ａ）は本発明の第１の実施形態のキャリアテープの平面図、（ｂ）は側面図である。
【図２】本発明の第１の実施形態のキャリアテープの斜視図である。
【図３】（ａ）は本発明の第１の実施形態のキャリアテープの連結部品の平面図、（ｂ）は側面図である。
【図４】本発明の第１の実施形態のキャリアテープの連結部品の斜視図である。
【図５】本発明の第１の実施形態のキャリアテープの連結部品を折り曲げた状態を示した説明図である。
【図６】（ａ）は本発明の第２の実施形態のキャリアテープの平面図、（ｂ）は側面図である。
【図７】本発明の第２の実施形態のキャリアテープの斜視図である。
【図８】（ａ）は従来のキャリアテープの平面図、（ｂ）は正面図、（ｃ）は側面図である。
【図９】従来のキャリアテープの斜視図である。
【図１０】（ａ）は従来のキャリアテープの連結部品の平面図、（ｂ）は正面図、（ｃ）は側面図である。
【図１１】従来の連結部品の斜視図である。
【符号の説明】
【００２０】
１１  収納容器
１２  スプロケット用ホール
１３  収納用凹部
１４  部品
１５  接合部
１６  接続用の穴
１７  接続用のピン
１８  連結部品
１９  接続用の穴
２０  接続用のピン
２１  収納容器
２２  スプロケットホール
２３  収納用凹部
２４  部品
２５  接合部
２６  横向きの穴
２７  横向きのピン
２８  連結部品
【図１】
2005096838.tif 000003
【図２】
2005096838.tif 000004
【図３】
2005096838.tif 000005
【図４】
2005096838.tif 000006
【図５】
2005096838.tif 000007
【図６】
2005096838.tif 000008
【図７】
2005096838.tif 000009
【図８】
2005096838.tif 000010
【図９】
2005096838.tif 000011
【図１０】
2005096838.tif 000012
【図１１】
2005096838.tif 000013